【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
流体送達装置のためのハウジング本体であって、
外側と内側、およびシリンジカートリッジ開口部を有し、
前記ハウジング本体の内側に付設されたピニオンハウジングであって、ピニオン収容開口部を有するピニオンハウジングと、
前記ピニオン収容開口部に収容され、前記ピニオン収容開口部内で回転できるように前記ピニオンハウジングに付設されたピニオンであって、歯車隆起部を有する前部と、シリンジカートリッジ収容開口部と、後部とを備えるピニオンと、
押し下げ時に前記ピニオンの歯車隆起部と係合するよう適合されたタブ部を有するトリガ部と、
を備える、
ハウジング本体。
【請求項２】
前記ハウジング本体は、後部分と前部分とを備える、請求項１に記載のハウジング本体。
【請求項３】
前記ピニオンハウジングは、外側ねじ切り部分をさらに備え、前記ハウジング本体の後部分と前部分とは、前記ハウジング本体の内側にねじ切り部分を包含し、前記ハウジング本体の前部分と後部分とのねじ切り部分は、前記ピニオンハウジングのねじ切り部分を係合する、請求項２に記載のハウジング本体。
【請求項４】
請求項１〜３のいずれか１項に記載のハウジング本体に挿入可能でありかつ取り外し可能である、取り外し可能なシリンジカートリッジであって、
ヘッド部分と、シリンジ本体と、主要本体部分と、プランジャと、針とを有し、
前記ヘッド部分は、前記ハウジング本体を係合して、前記シリンジ本体に付設され、
前記シリンジ本体は、内側通路を有し、
前記シリンジ本体に付設された前記主要本体は、内側通路を有し、前記主要本体の内側通路はねじ切り部分を有し、
前記プランジャは、前記シリンジ本体および前記主要本体の内側通路に収容され、前記プランジャは、プランジャチップと、前記主要本体の内側通路のねじ切り部分と係合するねじ山部と、前記ピニオンのシリンジ収容開口部に収容され、前記ピニオンの後部と係合するテール部とを有し、
前記針は、前記シリンジカートリッジのヘッド部分に付設され、前記シリンジ本体の内側通路に動作可能なように接続される、
取り外し可能なシリンジカートリッジ。
【請求項５】
前記シリンジカートリッジの前記ヘッド部分は、透明材料から作製される、請求項４に記載のシリンジカートリッジ。
【請求項６】
前記プランジャのテール部はキーを付けられる、請求項４に記載のシリンジカートリッジ。
【請求項７】
請求項１〜３のいずれか１項に記載のハウジング本体、および請求項４〜６のいずれか１項に記載の取り外し可能なシリンジカートリッジを備える、流体送達装置。
【請求項８】
前記ハウジング本体は縦軸を有し、前記針は前記ハウジング本体の縦軸と鋭角を成す、請求項７に記載の流体送達装置。
【請求項９】
前記針は、前記ハウジング本体の縦軸と約４０°の角度を成す、請求項８に記載の流体送達装置。
【請求項１０】
細胞材料を被験体に送達するための、請求項７〜９のいずれか１項に記載の流体送達装置であって、前記細胞材料は、注入時に固有の形態学的特徴を保持する細胞を含む、流体送達装置。
【請求項１１】
前記細胞材料は、懸濁媒体をさらに備える、請求項１０に記載の装置。
【請求項１２】
前記細胞材料は、被験体に、前記被験体が罹患している疾患または身体的状態を処置するのに効果的な量で送達される、請求項１０に記載の装置。
【請求項１３】
前記疾患または状態は脱毛である、請求項１２に記載の装置。
【請求項１４】
前記疾患または身体的状態は、脱毛、乾癬、糖尿病、皺、皮膚萎縮、歯の喪失、皮膚潰瘍、褥瘡、糖尿病性足部潰瘍、火傷、微生物感染、手術痕、座瘡、水疱瘡、およびこれらの組み合わせから成る群から選択される、請求項１２に記載の装置。
【請求項１５】
前記細胞は濾胞前駆細胞を含む、請求項１０に記載の装置。
【請求項１６】
前記濾胞前駆細胞は自己由来である、請求項１５に記載の装置。
【請求項１７】
前記細胞は真皮細胞を含む、請求項１６に記載の装置。
【請求項１８】
前記細胞は表皮細胞を含む、請求項１６に記載の装置。
【請求項１９】
前記細胞は、前記被験体の皮膚に送達される、請求項１０に記載の装置。
【請求項２０】
前記細胞は、前記皮膚の表皮下層、真皮乳頭層、または真皮網状層上部に送達される、請求項１９に記載の装置。
【請求項２１】
被験体の皮膚内に材料を送達するための、請求項７〜９のいずれか１項に記載の流体送達装置であって、
前記シリンジカートリッジが、前記シリンジ本体が前記材料で満たされた状態で前記流体送達装置のハウジング本体内に装填されるように構成されており、
前記流体送達装置の針が、皮膚と略平行角度で、所望の深度に到達するまで前記皮膚に挿入されるように構成されており、
前記流体送達装置のトリガ部を押し下げると、ある量の前記材料が注入され、
前記流体送達装置が約４５°〜９０°回転させられるように構成されており、
前記針が注入部位から除去されるように構成されている、
装置。
【請求項２２】
前記針は、前記皮膚表面下４〜６ミリメートルまで挿入されるように構成されている、請求項２１に記載の装置。
【請求項２３】
前記材料は、ボトックス、コラーゲン、ヒアルロン酸、抗生物質、抗炎症薬、ステロイド、およびこれらの組み合わせから成る群から選択される、請求項２１に記載の装置。
【請求項２４】
前記材料は、細胞を含む細胞材料である、請求項２１に記載の装置。
【請求項２５】
前記細胞は、真皮細胞、表皮細胞、表皮幹細胞、基底細胞、ケラチノサイト、メラノサイト、発毛促進性真皮細胞、線維芽細胞、濾胞前駆細胞、膵島細胞、脂肪細胞、歯性上皮細胞、歯性真皮細胞、およびこれらの組み合わせから成る群から選択される、請求項２４に記載の装置。
【請求項２６】
前記細胞は、注入時にそれらの固有の形態学的特徴を保持する、請求項２４に記載の装置。
【請求項２７】
１つの歯車隆起部が前記トリガ部のタブ部と係合するように構成されており、
前記ピニオンが１増分で回転するように構成されており、前記１増分は、前記ピニオンの前記歯車隆起部の弧長に等しく、そして
前記プランジャが回動されると、前記プランジャは、前記シリンジ本体内で前方に移動し、これにより前記量の材料を注入するように構成されている、
請求項２１に記載の装置。
【請求項２８】
前記針が前記皮膚に挿入された後であって、前記トリガ部が押し下げられる前に、前記針が前記皮膚から約１ｍｍ〜２ｍｍ引き戻されるように、前記針が構成されている、請求項２２に記載の装置。
【手続補正２】
【補正対象書類名】図面
【補正対象項目名】全図
【補正方法】変更
【補正の内容】
【図１】
2009525839.tif 000001
【図２】
2009525839.tif 000002
【図３】
2009525839.tif 000003
【図４】
2009525839.tif 000004
【図５】
2009525839.tif 000005
【図６】
2009525839.tif 000006
【図７】
2009525839.tif 000007
【図８】
2009525839.tif 000008
【図９】
2009525839.tif 000009
【図１０】
2009525839.tif 000010
【図１１】
2009525839.tif 000011
【図１２】
2009525839.tif 000012
【図１３】
2009525839.tif 000013
【図１４】
2009525839.tif 000014
【図１５】
2009525839.tif 000015
【図１６】
2009525839.tif 000016
【図１７】
2009525839.tif 000017
【図１８】
2009525839.tif 000018
【図１９】
2009525839.tif 000019
【図２０】
2009525839.tif 000020
【図２１】
2009525839.tif 000021
【図２２】
2009525839.tif 000022
【図２３】
2009525839.tif 000023